(57)【要約】【課題】本発明は、クライアント機器のサーバ機器選択画面に表示されているサーバ機器と、実際に設置されているサーバ機器との対応関係を使用者が容易に認識可能なサーバ機器選択画面を表示するための情報をクライアント機器に通知可能なサーバ機器の提供を目的とする。【解決手段】本発明に係るサーバ機器は、ＨＤＭＩ端子と、ＨＤＭＩ端子に接続されたＣＥＣルート機器を識別するための識別子を取得する識別子取得手段と、自己の一意識別子と、前記識別子取得手段で取得した前記識別子と、前記ＨＤＭＩ端子のＣＥＣ物理アドレスとをクライアント機器からの要求に応じて通知する通知手段とを備える。【選択図】図１
2014049923.tif 000002
【特許請求の範囲】
【請求項１】
ＨＤＭＩ端子と、
前記ＨＤＭＩ端子に接続されたＣＥＣルート機器を識別するための識別子を取得する識別子取得手段と、
自己の一意識別子と、前記識別子取得手段で取得した前記識別子と、前記ＨＤＭＩ端子のＣＥＣ物理アドレスとをクライアント機器からの要求に応じて通知する通知手段と、
を備える、
サーバ機器。
【請求項２】
前記識別子取得手段は、前記識別子として、前記ＣＥＣルート機器のＵＵＩＤの取得に失敗した場合は、前記ＣＥＣルート機器のＭＡＣアドレスの取得を行うことを特徴とする、
請求項１に記載のサーバ機器。
【請求項３】
サーバ機器に要求を行い、当該サーバ機器から、
当該サーバ機器の一意識別子と、
前記サーバ機器に備わるＨＤＭＩ端子のＣＥＣ物理アドレスと、
前記ＨＤＭＩ端子に接続されたＣＥＣルート機器を識別するための識別子とを含むサーバ情報を取得するサーバ情報取得手段を備えることを特徴とする、
クライアント機器。
【請求項４】
映像を表示する映像表示部をさらに備え、
前記サーバ情報取得手段により取得した前記サーバ情報に基づいて、複数の前記サーバ機器および前記ＣＥＣルート機器の接続関係を前記映像表示部に表示することを特徴とする、
請求項３に記載のクライアント機器。
【請求項５】
前記映像表示部に表示される接続関係は、複数の前記サーバ機器および前記ＣＥＣルート機器の各機器を表すアイコンと、前記機器間の接続を表す線によって表現され、
前記アイコンには、予め設定したフレンドリーネームが表示されることを特徴とする、
請求項４に記載のクライアント機器。
【請求項６】
請求項１または２に記載のサーバ機器の機能と、
請求項３〜５のいずれかに記載のクライアント機器の機能と、
を備える、
ネットワーク機器。
【発明の詳細な説明】
【技術分野】
【０００１】
本発明は、サーバ機器、クライアント機器およびネットワーク機器に関する。
【背景技術】
【０００２】
ネットワーク上の圧縮された映像・音声コンテンツを再生する機能と、映像音声入力端子とを有する映像表示装置として、例えばデジタルテレビがある。近年、デジタルテレビと、ＨＤＤレコーダやパーソナルコンピュータ等の映像蓄積機能を有する機器とを接続する方法として、家庭内のＩＰ（Ｉｎｔｅｒｎｅｔ  Ｐｒｏｔｃｏｌ）ネットワークを利用して、ＤＬＮＡ（Ｄｉｇｉｔａｌ  Ｌｉｖｉｎｇ  Ｎｅｔｗｏｒｋ  Ａｌｌｉａｎｃｅ）（登録商標）ガイドラインに沿って接続を行う方法が普及してきている。
【０００３】
ＤＬＮＡガイドラインでは、映像音声を含むコンテンツを提供する機能をＤＭＳ（Ｄｉｇｉｔａｌ  Ｍｅｄｉａ  Ｓｅｒｖｅｒ）といい、コンテンツを再生する機能をＤＭＰ（Ｄｉｇｉｔａｌ  Ｍｅｄｉａ  Ｐｌａｙｅｒ）という。
【０００４】
例えば、ＤＭＰ機能を有するデジタルテレビと、ＤＭＳ機能を有するＨＤＤレコーダをＩＰネットワークで接続すれば、デジタルテレビで、ＨＤＤレコーダに蓄積されたコンテンツを視聴することができる。
【０００５】
ＤＬＮＡでは、ＩＰアドレスの決定や利用可能なサーバの検索にＵＰｎＰ（Ｕｎｉｖｅｒｓａｌ  Ｐｌｕｇ  ａｎｄ  Ｐｌａｙ）を採用しており、ＩＰアドレスの設定などをしなくても、ネットワークにつなぐだけで、機器の使用が可能である。
【０００６】
また、ＤＬＮＡでは、物理層として普及している１００ＢＡＳＥ−ＴＸケーブルを利用可能なため、１００ｍの伝送でも安価に実現可能である。
【０００７】
また、デジタルテレビやディスプレイモニタ、プロジェクタ等の映像表示装置と、ＨＤＤレコーダ、パーソナルコンピュータ等の映像蓄積機能を有する機器とを接続するインターフェースとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）が普及してきている。
【０００８】
ＨＤＭＩは広帯域であり、非圧縮の映像と音声を扱うことが可能であるが、１０ｍを超える長距離を伝送するためには、高価なケーブルが必要となる。
【０００９】
ＨＤＭＩの伝送路に映像を送出する機器はソース機器と呼ばれ、ＨＤＭＩの伝送路から映像を受け取る機器はシンク機器と呼ばれる。
【００１０】
ＨＤＭＩには、映像音声とは別に、接続機器同士で双方向の通信が可能な通信経路、即ちＣＥＣ（Ｃｏｎｓｕｍｅｒ  Ｅｌｅｃｔｒｏｎｉｃｓ  Ｃｏｎｔｒｏｌ）が定義されている。
【００１１】
ＣＥＣでは、機器が接続された端子に従って、４桁の数字で構成されるＣＥＣ物理アドレス（Ｐｈｙｓｉｃａｌ  Ａｄｄｒｅｓｓ）が付与される。ＨＤＭＩ出力端子を持たないシンク機器（例えばテレビ）は、ＣＥＣルート（ＣＥＣ  ｒｏｏｔ）機器と呼ばれ、ＣＥＣ物理アドレスは０．０．０．０となる。また、ＣＥＣルート機器の第１、第２のＨＤＭＩ入力端子に接続される機器のＣＥＣ物理アドレスは、それぞれ１．０．０．０、２．０．０．０．０となる。さらに、ＣＥＣ物理アドレスが２．０．０．０の機器の第１のＨＤＭＩ入力端子に接続された機器のＣＥＣ物理アドレスは、２．１．０．０となる。
【００１２】
ＤＭＰ機能を有するデジタルテレビ（即ちクライアント機器）を用いてコンテンツの視聴を行う場合、使用者は、クライアント機器を操作して、ＤＭＳ機能を有するサーバ機器の一覧が表示されたサーバ機器選択画面を表示し、所望のサーバ機器を選択する。すると、そのサーバ機器に蓄積されているコンテンツの一覧が表示され、使用者は、所望のコンテンツを選択して視聴する。
【００１３】
ＩＰネットワークとＨＤＭＩを利用したネットワークが混在するＡＶネットワークにおいて、視聴者の利便性を高めるために、例えば、特許文献１では、ＩＰネットワークとＨＤＭＩケーブルの両方で機器同士が接続される場合に、ＩＰネットワークに比べて映像劣化のないＨＤＭＩケーブルで優先的に映像の受信を行う受信装置が記載されている。
【００１４】
また、例えば、特許文献２では、映像再生装置が複数存在する場合に、再生する映像の圧縮形式に適した映像再生装置を選択する技術が記載されている。
【先行技術文献】
【特許文献】
【００１５】
【特許文献１】特開２００９−２００７８８号公報
【特許文献２】特開２０１１−１９９５６７号公報
【発明の概要】
【発明が解決しようとする課題】
【００１６】
従来は、上述のサーバ機器選択画面において、ＤＶＲ−ＢＺ２６０といったサーバ機器名が一覧として表示されるだけであったため、使用者は、画面に表示されたサーバ機器名と、実際に設置されているサーバ機器との対応関係を認識することが困難であり、利便性が良くなかった。
【００１７】
本発明は以上の課題を解決するためになされたものであり、クライアント機器のサーバ機器選択画面に表示されているサーバ機器と、実際に設置されているサーバ機器との対応関係を使用者が容易に認識可能なサーバ機器選択画面を表示するための情報をクライアント機器に通知可能なサーバ機器の提供を目的とする。
【００１８】
また、本発明は以上の課題を解決するためになされたものであり、サーバ機器選択画面に表示されているサーバ機器と、実際に設置されているサーバ機器との対応関係を使用者が容易に認識可能なサーバ機器選択画面を表示する、クライアント機器の提供を目的とする。
【課題を解決するための手段】
【００１９】
本発明に係るサーバ機器は、ＨＤＭＩ端子と、ＨＤＭＩ端子に接続されたＣＥＣルート機器を識別するための識別子を取得する識別子取得手段と、自己の一意識別子と、前記識別子取得手段で取得した前記識別子と、前記ＨＤＭＩ端子のＣＥＣ物理アドレスとをクライアント機器からの要求に応じて通知する通知手段とを備える。
【００２０】
また、本発明に係るクライアント機器は、サーバ機器に要求を行い、当該サーバ機器から、当該サーバ機器の一意識別子と、サーバ機器に備わるＨＤＭＩ端子のＣＥＣ物理アドレスと、当該ＨＤＭＩ端子に接続されたＣＥＣルート機器を識別するための識別子とを含むサーバ情報を取得するサーバ情報取得手段を備えることを特徴とする。
【発明の効果】
【００２１】
本発明に係るサーバ機器は、クライアント機器からの要求に応じて、サーバ機器とサーバ機器のＣＥＣルート機器の情報とをクライアント機器に通知するため、クライアント機器は、サーバ機器とＣＥＣルート機器との接続関係を把握することが可能となる。よって、クライアント機器は、サーバ機器選択画面に、サーバ機器の一覧だけでなく、サーバ機器とＣＥＣルート機器との接続関係も表示することが可能となる。よって、使用者は、サーバ機器選択画面に表示されるサーバ機器と、実際に設置されているサーバ機器との対応を容易に認識可能となり、利便性が向上する。
【００２２】
また、本発明に係るクライアント機器は、各サーバ機器からサーバ情報を取得することによって、サーバ機器とＣＥＣルート機器との接続関係を把握することが可能となる。よって、クライアント機器は、サーバ機器選択画面に、サーバ機器の一覧だけでなく、サーバ機器とＣＥＣルート機器との接続関係も表示することが可能となる。よって、使用者は、サーバ機器選択画面に表示されるサーバ機器と、実際に設置されているサーバ機器との対応を容易に認識可能となり、利便性が向上する。
【図面の簡単な説明】
【００２３】
【図１】本発明の実施の形態に係るＡＶネットワークの構成例を示す図である。
【図２】本発明の実施の形態に係るシンク機器のブロック図である。
【図３】本発明の実施の形態に係るサーバ機器のブロック図である。
【図４】本発明の実施の形態に係るクライアント機器のブロック図である。
【図５】本発明の実施の形態に係るサーバ機器が作成するサーバ情報を示す図である。
【図６】本発明の実施の形態に係るクライアント機器が作成するサーバ機器リストを示す図である。
【図７】本発明の実施の形態に係るクライアント機器が作成する拡張サーバ機器リストを示す図である。
【図８】本発明の実施の形態に係るクライアント機器のサーバ機器選択画面を示す図である。
【発明を実施するための形態】
【００２４】
＜ＡＶネットワークの構成＞
図１に、本実施の形態におけるＡＶネットワークの構成例を示す。本実施の形態におけるＡＶネットワークは、例えば、家庭内に構築される家庭内ネットワークを想定している。本実施の形態におけるＡＶネットワークは、ＩＰネットワークとＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を利用したネットワークの両方を含むネットワークである。
【００２５】
ＩＰネットワークは、図１に示す様に、クライアント機器ＣＬ１、サーバ機器ＳＶ１〜ＳＶ６、およびＤＨＣＰサーバ１１１により構成され、これらの各機器は、スイッチングハブとしてのレイヤ２スイッチ（以下Ｌ２スイッチ）１１０，１０９を介して、１００ＢＡＳＥ−ＴＸケーブル１１７〜１２５により、相互接続されている。
【００２６】
また、各サーバ機器ＳＶ１〜ＳＶ６はＨＤＭＩ端子を備え、サーバ機器ＳＶ１〜ＳＶ３は、ディスプレイＤＰ１とＨＤＭＩケーブル１１２〜１１４により接続されている。また、サーバ機器ＳＶ４はサーバ機器ＳＶ５と、サーバ機器ＳＶ６はクライアント機器ＣＬ１と、それぞれＨＤＭＩケーブル１１５，１１６により接続されている。
【００２７】
ＨＤＭＩを利用したネットワークにおいて、シンク機器とは、ソース機器からＨＤＭＩケーブルを介して映像を取得する機器のことである。図１では、ＨＤＭＩケーブル１１２〜１１６を表す矢印の根元がソース機器を意味し、矢印の先がシンク機器を意味する。
【００２８】
例えば、ＨＤＭＩケーブル１１２〜１１４に着目すると、サーバ機器ＳＶ１〜ＳＶ３はソース機器であり、ディスプレイＤＰ１はシンク機器である。また、ＨＤＭＩケーブル１１５に着目すると、サーバ機器ＳＶ４はソース機器であり、サーバ機器ＳＶ５はシンク機器である。また、また、ＨＤＭＩケーブル１１６に着目すると、サーバ機器ＳＶ６はソース機器であり、クライアント機器ＣＬ１はシンク機器である。
【００２９】
ＨＤＭＩケーブルで接続された各機器は、ＨＤＭＩで規格化されているＣＥＣによって、相互に制御信号の送受信を行うことが可能である。サーバ機器ＳＶ１にとってのＣＥＣルート機器は、ディスプレイＤＰ１である。また、例えば、サーバ機器ＳＶ６にとってのＣＥＣルート機器は、クライアント機器ＣＬ１である。
【００３０】
ＩＰネットワーク上の機器間の通信は、ＤＬＮＡガイドラインに沿って行われる。ＤＬＮＡガイドラインにおいて、サーバ機器ＳＶ１〜ＳＶ６はＤＭＳ機能を有する機器であり、クライアント機器ＣＬ１は、ＤＭＰ機能を有する機器である。
【００３１】
クライアント機器ＣＬ１は、各サーバ機器ＳＶ１〜ＳＶ６に対して出力要求を行い、サーバ機器ＳＶ１〜ＳＶ６に蓄積されたコンテンツを画面に出力することが可能である。
【００３２】
本明細書において、ＣＥＣ物理アドレスとは、ＨＤＭＩ接続された機器同士を区別するためのアドレスであり、ＣＥＣルート機器のＣＥＣ物理アドレスは、０．０．０．０である。即ち、ディスプレイＤＰ１、サーバ機器ＳＶ５およびクライアント機器ＣＬ１のＣＥＣ物理アドレスは、０．０．０．０である。
【００３３】
ＣＥＣルート機器に接続されると、ソース機器にはＣＥＣ物理アドレスが割り当てられる。例えば、ソース機器として、サーバ機器ＳＶ１、サーバ機器ＳＶ２、サーバ機器ＳＶ３が、ディスプレイＤＰ１の第１〜第３のＨＤＭＩ端子１１，１２，１３にそれぞれ接続されたとすると、サーバ機器ＳＶ１〜ＳＶ３には、ＣＥＣ物理アドレスとして、それぞれ１．０．０．０、２．０．０．０、３．０．０．０が割り当てられる。
【００３４】
また、本明細書において、識別子とは、ある機器を他の機器と区別するための識別子を指す。本実施の形態では、一意識別子即ちＵＵＩＤ（Ｕｎｉｖｅｒｓａｌｌｙ  Ｕｎｉｑｕｅ  Ｉｄｅｎｔｉｆｅｒ）またはＭＡＣアドレスを識別子として用いる。
【００３５】
＜シンク機器の構成＞
ディスプレイＤＰ１を例にして、シンク機器の構成を説明する。図２に、ディスプレイＤＰ１のブロック図を示す。ディスプレイＤＰ１は、第１〜第３のＨＤＭＩ端子１１，１２，１３と、第１〜第３のＨＤＭＩ端子１１，１２，１３から入力された映像信号を変換するＨＤＭＩ処理部１４と、ＨＤＭＩ処理部１４において変換された映像信号を表示出力する、映像表示部２４および音声出力部２３を備える。
【００３６】
また、ディスプレイＤＰ１は、さらに、使用者が映像の再生・停止などの操作を行う操作部１７と、操作部１７においてなされた操作に対応する動作の制御を行う制御部１８とを備える。制御部１８は例えば、ＣＰＵにより構成される。
【００３７】
また、ディスプレイＤＰ１は、さらに、識別子記憶部２５を備える。識別子記憶部２５には、自身のＵＵＩＤが記憶されている。なお、ディスプレイＤＰ１がＩＰネットワークに接続する機能を備える場合には、識別子記憶部２５には、自身のＭＡＣアドレスも併せて記憶されている。
【００３８】
ディスプレイＤＰ１は、ＣＥＣにより、ＨＤＭＩケーブルを介してサーバ機器ＳＶ１〜ＳＶ３と双方向の通信を行うことができる。
【００３９】
なお、本実施の形態におけるディスプレイＤＰ１は、３つのサーバ機器ＳＶ１〜ＳＶ３と接続するために、第１〜第３のＨＤＭＩ端子１１，１２，１３を備えるが、少なくとも１つのサーバ機器と接続するためには、少なくとも１つのＨＤＭＩ端子が備わっていればよい。
【００４０】
＜サーバ機器の構成＞
サーバ機器ＳＶ１を例にして、サーバ機器の構成を説明する。図３に、サーバ機器ＳＶ１のブロック図を示す。サーバ機器ＳＶ１は、テレビ放送番組を受信するチューナ部３８と、受信したテレビ放送番組を蓄積するコンテンツ蓄積部３１と、受信したテレビ放送番組のデコード、エンコードをそれぞれ行うデコード部３６およびエンコード部４０を備える。サーバ機器ＳＶ１は、チューナ部３８により受信したテレビ放送を、デコード部３６によりデコードし、さらにエンコード部４０により再エンコードして、コンテンツ蓄積部３１に蓄積することができる。
【００４１】
また、サーバ機器ＳＶ１は、さらに、ＩＰネットワークに接続するネットワーク接続部３２を備える。ネットワーク接続部３２は、ＤＬＮＡガイドラインのＤＭＳ機能を備えており、ＩＰネットワーク内のクライアント機器ＣＬ１に対して、提供可能なサービス等を通知することが可能である。つまり、コンテンツ蓄積部３１に蓄積したコンテンツをクライアント機器ＣＬ１に公開して、要求を受ければコンテンツの送信を行う。
【００４２】
また、サーバ機器ＳＶ１は、さらに、ＨＤＭＩ端子を備えたＨＤＭＩソース部３７を備える。ＨＤＭＩソース部３７は、コンテンツ蓄積部３１に蓄積したコンテンツをデコード部３６によりデコードして、ＨＤＭＩケーブル１１６を介して、ディスプレイＤＰ１へ出力する。
【００４３】
また、サーバ機器ＳＶ１は、さらにＣＥＣルート機器情報記憶部３５を備える。ＣＥＣルート機器情報記憶部３５には、サーバ機器ＳＶ１のＣＥＣルート機器であるディスプレイＤＰ１から取得する、ディスプレイＤＰ１の識別子および機器名が記憶される。
【００４４】
また、サーバ機器ＳＶ１は、使用者が操作を行う操作部３９および、操作部３９の操作に応じて、サーバ機器ＳＶ１の動作を制御する制御部を備える。
【００４５】
なお、サーバ機器ＳＶ５は、サーバ機器ＳＶ１に対して、映像表示部２４と、音声出力部２３と、第１のＨＤＭＩ端子１１と、ＨＤＭＩ処理部１４とをさらに備える。
【００４６】
＜クライアント機器の構成＞
図４に、本実施の形態におけるクライアント機器ＣＬ１のブロック図を示す。シンク機器機能部ＣＬ１Ａは、第１〜第３のＨＤＭＩ端子８１，８２，８３、ＨＤＭＩ処理部８４、映像表示部９４、音声出力部９３、操作部８７、制御部８６および識別子記憶部８９を備える。このシンク機器機能部ＣＬ１Ａの構成は、前述したディスプレイＤＰ１の構成と同じである。よって、シンク機器機能部ＣＬ１Ａについての説明を省略する。
【００４７】
クライアント機器ＣＬ１は、さらに、ＩＰネットワークに接続するためのネットワーク接続部８５を備える。ネットワーク接続部はＩＰネットワークのインターフェースを備え、１００ＢＡＳＥ−ＴＸケーブル１２４を介して、Ｌ２スイッチ１１０に接続されている。また、ネットワーク接続部８５は、ＤＬＮＡガイドラインのＤＭＰ機能を備えており、ＩＰネットワーク内のサーバ機器ＳＶ１〜ＳＶ６が公開するコンテンツを受信して、デコード部９２でデコードを行い、映像表示部９４および音声出力部９３に出力することが可能である。
【００４８】
また、クライアント機器ＣＬ１は、さらに、サーバ機器リスト記憶部８８を備える。サーバ機器リスト記憶部８８には、後述するサーバ機器リストが記憶される。
【００４９】
また、クライアント機器ＣＬ１は、さらに、拡張サーバ機器リスト記憶部９０を備える。拡張サーバ機器リスト記憶部９０には、後述する拡張サーバ機器リストが記憶される。
【００５０】
なお、本実施の形態におけるクライアント機器ＣＬ１は、３つのＨＤＭＩ端子（第１〜第３のＨＤＭＩ端子１１，１２，１３）を備えるが、ＩＰネットワークでサーバ機器と接続されていれば、ＨＤＭＩ端子が備わっていなくても良い。
【００５１】
＜シンク機器の動作＞
シンク機器の動作として、ディスプレイＤＰ１の動作を例に説明する。ディスプレイＤＰ１のＨＤＭＩ処理部１４は、第１〜第３のＨＤＭＩ端子１１，１２，１３に接続されたサーバ機器ＳＶ１〜ＳＶ３のいずれかから、ＣＥＣの経路を通して、ＵＵＩＤ要求コマンドを受信した場合は、識別子記憶部２５に記憶しているディスプレイＤＰ１のＵＵＩＤを、ＣＥＣ経路を通して、要求を受けたサーバ機器に通知する。
【００５２】
なお、ディスプレイＤＰ１が、ＩＰネットワーク接続機能をさらに備える場合には、ＭＡＣアドレス要求コマンドに対して、識別子記憶部２５に記憶しているディスプレイＤＰ１自身のＭＡＣアドレスをサーバ機器ＳＶ１〜ＳＶ３に通知することが可能である。
【００５３】
＜サーバ機器の動作＞
サーバ機器の動作として、サーバ機器ＳＶ１の動作を例に説明する。サーバ機器ＳＶ１が、ＨＤＭＩ端子を通してディスプレイＤＰ１と接続されると、サーバ機器ＳＶ１のＨＤＭＩソース部３７は、ＨＤＭＩ規格に準拠したＨＤＭＩの初期化処理と、ＣＥＣの初期化処理を行う。
【００５４】
初期化処理が完了すると、識別子取得手段としてのＨＤＭＩソース部３７は、ＣＥＣルート機器としてのディスプレイＤＰ１に対して、ＵＵＩＤを取得するためのＣＥＣコマンドを送信する。なお、ＵＵＩＤは、ＵＰｎＰにおいては、ＵＤＮ（Ｕｎｉｑｕｅ  Ｄｅｖｉｃｅ  Ｎａｍｅ）として用いられる。
【００５５】
ＨＤＭＩソース部３７は、ＣＥＣコマンドの応答として、ディスプレイＤＰ１のＵＵＩＤを取得すると、取得したＵＵＩＤの先頭に「ｕｕｉｄ：」を付加して、ＣＥＣルート機器情報記憶部３５に記憶する。
【００５６】
上述の動作で、ディスプレイＤＰ１のＵＵＩＤを取得できなかった場合は、ＭＡＣアドレスの取得を行う。つまり、ＨＤＭＩソース部３７は、ディスプレイＤＰ１に対して、ＭＡＣアドレスを取得するためのＣＥＣコマンドを送信する。
【００５７】
ＨＤＭＩソース部３７は、ＣＥＣコマンドの応答としてディスプレイＤＰ１のＭＡＣアドレスを取得すると、取得したＭＡＣアドレスの先頭に「ｍａｃ：」を付加して、ＣＥＣルート機器情報記憶部３５に記憶する。
【００５８】
なお、ＵＵＩＤもＭＡＣアドレスも取得できなかった場合は、ＨＤＭＩの初期化処理の過程で取得したＥＤＩＤ（Ｅｘｔｅｎｄｅｄ  Ｄｉｓｐｌａｙ  Ｉｄｅｎｔｉｆｉｃａｔｉｏｎ  Ｄａｔａ）内に記述されたＶｅｎｄｅｒ／Ｐｒｏｄｕｃｔ  Ｉｄｅｎｔｉｆｉｃａｔｉｏｎの先頭に「ｅｄｉｄｖｐｉ：」を付加して、ＣＥＣルート機器情報記憶部３５に記憶する。
【００５９】
Ｖｅｎｄｅｒ／Ｐｒｏｄｕｃｔ  Ｉｄｅｎｔｉｆｉｃａｔｉｏｎは、１０バイトであるから、リトルエンディアンでオクテット表記した２０文字の文字列として扱う。例えば、「０８０９０Ａ０Ｂ０Ｃ０Ｄ０Ｅ０Ｆ１０１１」である。Ｖｅｎｄｅｒ／Ｐｒｏｄｕｃｔ  Ｉｄｅｎｔｉｆｉｃａｔｉｏｎには、製品のシリアル番号等が含まれるため、識別子として利用可能である。
【００６０】
なお、サーバ機器ＳＶ５は、自身がＣＥＣルート機器でもあるので、シンク機器の識別子として、自己の識別子を取得して、ＣＥＣルート機器情報記憶部３５に記憶する。
【００６１】
なお、ＵＵＩＤを取得するコマンドおよびＭＡＣアドレスを取得するコマンドがＨＤＭＩ規格に定義されていない場合は、Ｖｅｎｄｅｒ  Ｓｐｅｃｉｆｉｃ  Ｃｏｍｍａｎｄの一部として、メーカー独自のコマンドをＨＤＭＩ規格に準拠する形で実装する。
【００６２】
なお、ＵＵＩＤとＭＡＣアドレスの２つの識別子の取得を試みることで、ネットワーク接続機能を持たないためＭＡＣアドレスを有さないディスプレイＤＰ１からでも、より確実に識別子を取得することができる。
【００６３】
ディスプレイＤＰ１即ちＣＥＣルート機器の識別子を取得した後は、ディスプレイＤＰ１の機器名を取得して、ＣＥＣルート機器情報記憶部３５に記憶する。機器名の取得は、ＨＤＭＩ規格で規定されるＤｅｖｉｃｅ  ＯＳＤ  Ｎａｍｅ  Ｔｒａｎｓｆｅｒを用いて行う。
【００６４】
なお、ＣＥＣルート機器がＤｅｖｉｃｅ  ＯＳＤ  Ｎａｍｅ  Ｔｒａｎｓｆｅｒに対応していない場合は、ＨＤＭＩ初期化処理で取得したＥＤＩＤのＭｏｎｉｔｏｒ  Ｎａｍｅ  ＡＳＣＩＩ  Ｄｅｓｃｒｉｐｔｏｒをシンク機器の機器名として、ＣＥＣルート機器情報記憶部３５に記憶する。
【００６５】
次に、通知手段としてのネットワーク接続部３２は、ＣＥＣルート機器情報記憶部３５に記憶されている情報と、サーバ機器ＳＶ１自身のＵＵＩＤとを記載したテキストファイルを、サーバ情報として、ｈｔｔｐ：／／１９２．１６８．１．２／ｈｄｍｉｉｎｆｏ．ｔｘｔとしてＨＴＴＰで公開する。また、他のサーバ機器ＳＶ２〜ＳＶ６も同様のサーバ情報を公開する。サーバ機器ＳＶ１が公開するテキストファイルの一例を図５に示す。
【００６６】
図５に示すように、テキストファイルには、サーバ機器ＳＶ１自身の情報として、サーバ機器ＳＶ１自身のＵＵＩＤと、サーバ機器ＳＶ１自身のＣＥＣ物理アドレスが記載されている。また、テキストファイルには、さらに、サーバ機器ＳＶ１のＣＥＣルート機器の識別子と機器名として、ディスプレイＤＰ１のＵＵＩＤと機器名が記述されている。
【００６７】
なお、ファイルに記述されるＣＥＣルート機器の識別子は、ＭＡＣアドレスまたはＶｅｎｄｅｒ／Ｐｒｏｄｕｃｔ  Ｉｄｅｎｔｉｆｉｃａｔｉｏｎであってもよい。
【００６８】
また、ファイル形式はｘｍｌ形式でも良く、ＵＰｎＰに準拠したサービスとして提供しても良い。
【００６９】
＜クライアント機器の動作＞
使用者が操作部８７を操作することにより、クライアント機器ＣＬ１は、ＩＰネットワークで接続されているサーバ機器の一覧を、サーバ機器選択画面に表示することができる。
【００７０】
サーバ機器選択画面の表示は、使用者がサーバＳＶ６以外に蓄積されているコンテンツを視聴しようとする場合に行われる。以下では、クライアント機器ＣＬ１が、サーバ機器選択画面を表示するまでの動作について説明する。
【００７１】
まず、クライアント機器ＣＬ１は、ＤＬＮＡガイドランに沿った方法で、サーバ機器リストを作成して、サーバ機器リスト記憶部８８に記憶する。サーバ機器リストの一例を図６に示す。
【００７２】
図６に示す様に、サーバ機器リストには、ＩＰネットワーク上のサーバ機器ＳＶ１〜ＳＶ６のＩＰアドレス、ＵＵＩＤ、および機器名が記載されている。なお、サーバ機器リストには、さらに、各サーバ機器ＳＶ１〜ＳＶ６に対応したフレンドリーネームも併せて記載されている。
【００７３】
フレンドリーネームとは、サーバ機器選択画面において、使用者が、サーバ機器のアイコンと、実際に設置されているサーバ機器ＳＶ１〜ＳＶ６との対応関係を認識しやすくするためにサーバ機器に付けられる名前である。フレンドリーネームは、使用者により、予め各サーバ機器ＳＶ１〜ＳＶ６に登録されている。
【００７４】
クライアント機器ＣＬ１は、サーバ機器リスト記憶部８８のサーバ機器リストが作成または更新されると、サーバ機器リストに記載されている各サーバ機器ＳＶ１〜ＳＶ６のサーバ情報を収集する。
【００７５】
サーバ情報取得手段としてのネットワーク接続部８５は、ＨＴＴＰのＧＥＴメッセージを用いて、各サーバ機器ＳＶ１〜ＳＶ６から公開されているサーバ情報が記載されたテキストファイルを取得する。例えば、ＩＰアドレス１９２．１６８．１．２のサーバ機器ＳＶ１のサーバ情報が記載されたテキストファイルは、ｈｔｔｐ：／／１９２．１６８．１．２／ｈｄｍｉｉｎｆｏ．ｔｘｔである。
【００７６】
次に、収集した各サーバ機器ＳＶ１〜ＳＶ６のサーバ情報と、サーバ機器リスト（図６）を用いて、拡張サーバ機器リストを作成する。拡張サーバ機器リストの一例を図７に示す。
【００７７】
拡張サーバ機器リストの作成は、サーバ機器リスト上の各サーバ機器ＳＶ１〜ＳＶ６のＵＵＩＤと、各サーバ機器から取得したサーバ情報に含まれる、サーバ機器のＵＵＩＤとを比較して、サーバ機器の同一性を判断することにより行われる。
【００７８】
この結果として、サーバ機器リストには、サーバ機器のＨＤＭＩ端子のＣＥＣ物理アドレスと、サーバ機器に接続されているシンク機器、即ちＣＥＣルート機器の識別子と、シンク機器の機器名が追加されて、拡張サーバ機器リストとなる。作成された拡張サーバ機器リストは、拡張サーバ機器リスト記憶部９０に記憶される。
【００７９】
次に、ＣＥＣルート機器の識別子を第１優先キー、サーバ機器のＣＥＣ物理アドレスを第２優先キーとして、拡張サーバ機器リストを並べ替える。
【００８０】
映像表示部９４は、拡張サーバ機器リスト（図７）に基づいて、サーバ機器およびシンク機器、即ちＣＥＣルート機器の接続関係をサーバ機器選択画面として、映像表示部９４に表示する。
【００８１】
図８に、映像表示部９４に表示されるサーバ機器選択画面の一例を示す。サーバ機器ＳＶ１〜ＳＶ６、ディスプレイＤＰ１およびクライアント機器ＣＬ１の各機器は、アイコンによって表現される。アイコン５０１〜５０６は、それぞれ、サーバ機器ＳＶ１〜ＳＶ６に対応する。アイコン５０１〜５０６には、サーバ機器ＳＶ１〜ＳＶ６に対応したフレンドリーネームが表示される。フレンドリーネームが表示されることで、使用者は、そのアイコンが、実際に設置されているどのサーバ機器ＳＶ１〜ＳＶ６に対応しているか容易に認識することができる。
【００８２】
なお、アイコン５０１〜５０６には、フレンドリーネームと併せて、機器名や識別子などを表示してもよい。
【００８３】
アイコン５０９はディスプレイＤＰ１、即ちＣＥＣルート機器に対応するアイコンであり、機器名などが表示される。
【００８４】
また、アイコン５１１は、クライアント機器ＣＬ１に対応するアイコンであり、画面の一番下に表示される。アイコン５１１には、「このＴＶ」と表示される。
【００８５】
また、各機器のＨＤＭＩケーブルによる接続関係は、線５１２〜５１６により表示される。これにより、使用者は、各機器がどのように接続されているかを視覚的に認識することができるため、アイコン５０１〜５０６が、実際に設置されているどのサーバ機器ＳＶ１〜ＳＶ６に対応するのか容易に認識することが可能である。
【００８６】
使用者は、例えばリモコンを操作することによって、カーソル５１０を動かして、所望のサーバ機器のアイコンを選択することが可能である。アイコンを選択することにより、そのアイコンの対応するサーバ機器に蓄積されているコンテンツ一覧を取得することができる。
【００８７】
なお、本実施の形態において、各サーバ機器ＳＶ１〜ＳＶ６を、サーバ機器とクライアント機器ＣＬ１の両方の機能を備えるネットワーク機器で置き換えた場合、使用者は、各サーバ機器ＳＶ１〜ＳＶ６から、そのサーバ機器に蓄積されたコンテンツだけでなく。他のサーバ機器に蓄積されたコンテンツも視聴可能となるため、利便性が向上する。
【００８８】
＜効果＞
本実施の形態におけるサーバ機器ＳＶ１〜ＳＶ６は、ＨＤＭＩ端子と、ＨＤＭＩ端子に接続されたＣＥＣルート機器を識別するための識別子を取得する識別子取得手段と、自己の一意識別子と、前記識別子取得手段で取得した前記識別子と、前記ＨＤＭＩ端子のＣＥＣ物理アドレスとをクライアント機器ＣＬ１からの要求に応じて通知する通知手段とを備える。
【００８９】
従って、クライアント機器ＣＬ１は、サーバ機器ＳＶ１〜ＳＶ６とＣＥＣルート機器との接続関係を把握することが可能となる。よって、クライアント機器ＣＬ１は、サーバ機器選択画面に、サーバ機器ＳＶ１〜ＳＶ６の一覧だけでなく、サーバ機器ＳＶ１〜ＳＶ６とＣＥＣルート機器との接続関係も表示することが可能となる。よって、使用者は、サーバ機器選択画面に表示されるサーバ機器と、実際に設置されているサーバ機器との対応を容易に認識可能となり、利便性が向上する。
【００９０】
また、本実施の形態におけるサーバ機器ＳＶ１〜ＳＶ６に備わる識別子取得手段は、識別子として、ＣＥＣルート機器のＵＵＩＤの取得に失敗した場合は、ＭＡＣアドレスの取得を行うことを特徴とする。
【００９１】
従って、ＣＥＣルート機器のＵＵＩＤの取得に失敗した場合であっても、識別子としてＭＡＣアドレスを取得することで、より確実に識別子を取得することが可能である。
【００９２】
また、本実施の形態におけるクライアント機器ＣＬ１は、サーバ機器ＳＶ１〜ＳＶ６に要求を行い、サーバ機器ＳＶ１〜ＳＶ６から、サーバ機器ＳＶ１〜ＳＶ６の一意識別子と、サーバ機器ＳＶ１〜ＳＶ６に備わるＨＤＭＩ端子のＣＥＣ物理アドレスと、ＨＤＭＩ端子に接続されたＣＥＣルート機器を識別するための識別子とを含むサーバ情報を取得するサーバ情報取得手段を備えることを特徴とする。
【００９３】
従って、クライアント機器ＣＬ１は、各サーバ機器ＳＶ１〜ＳＶ６からサーバ情報を取得することによって、サーバ機器ＳＶ１〜ＳＶ６とＣＥＣルート機器との接続関係を把握することが可能となる。よって、クライアント機器ＣＬ１は、サーバ機器選択画面に、サーバ機器ＳＶ１〜ＳＶ６の一覧だけでなく、サーバ機器ＳＶ１〜ＳＶ６とＣＥＣルート機器との接続関係も表示することが可能となる。よって、使用者は、サーバ機器選択画面に表示されるサーバ機器と、実際に設置されているサーバ機器との対応を容易に認識可能となり、利便性が向上する。
【００９４】
また、本実施の形態におけるクライアント機器ＣＬ１は、映像を表示する映像表示部９４をさらに備え、サーバ情報取得手段により取得したサーバ情報に基づいて、複数のサーバ機器ＳＶ１〜ＳＶ６およびＣＥＣルート機器の接続関係を映像表示部９４に表示することを特徴とする。
【００９５】
従って、クライアント機器ＣＬ１が、サーバ機器選択画面において、複数のサーバ機器ＳＶ１〜ＳＶ６およびＣＥＣルート機器の接続関係を表示することで、使用者は、サーバ機器選択画面に表示されるサーバ機器と、実際に設置されているサーバ機器との対応を容易に認識可能となり、利便性が向上する。
【００９６】
また、本実施の形態におけるクライアント機器ＣＬ１において、映像表示部９４に表示される接続関係は、複数のサーバ機器ＳＶ１〜ＳＶ６およびＣＥＣルート機器の各機器を表すアイコンと、機器間の接続を表す線によって表現され、アイコンには、予め設定したフレンドリーネームが表示されることを特徴とする。
【００９７】
従って、サーバ機器選択画面において、各機器のアイコンをつなぐ線によって、機器間の接続関係が表現されるため、使用者は、各機器の接続関係を直感的に認識することが可能となる。また、アイコンにフレンドリーネームを表示することで、使用者は、サーバ機器選択画面に表示されるサーバ機器と、実際に設置されているサーバ機器との対応をより容易に認識可能となり、利便性がさらに向上する。
【００９８】
また、本実施の形態におけるネットワーク機器は、サーバ機器ＳＶ１〜ＳＶ６の機能と、クライアント機器ＣＬ１の機能とを備える。
【００９９】
従って、本実施の形態において、各サーバ機器ＳＶ１〜ＳＶ６を、ネットワーク機器で置き換えれば、使用者は、各サーバ機器ＳＶ１〜ＳＶ６から、そのサーバ機器に蓄積されたコンテンツだけでなく、他のサーバ機器に蓄積されたコンテンツも視聴可能となるため、利便性が向上する。
【０１００】
なお、本発明は、その発明の範囲内において、実施の形態を適宜、変形、省略することが可能である。
【符号の説明】
【０１０１】
ＤＰ１  ディスプレイ、ＳＶ１，ＳＶ２，ＳＶ３，ＳＶ４，ＳＶ５，ＳＶ６  サーバ機器、ＣＬ１  クライアント機器、ＣＬ１Ａ  シンク機器機能部、１１，８１  第１のＨＤＭＩ端子、１２，８２  第２のＨＤＭＩ端子、１３，８３  第３のＨＤＭＩ端子、１４，８４  ＨＤＭＩ処理部、１７，３９，８７  操作部、１８，３３，８６  制御部、２３，９３  音声出力部、２４，９４  映像表示部、２５，８９  識別子記憶部、３１  コンテンツ蓄積部、３２，８５  ネットワーク接続部、３５  ＣＥＣルート機器情報記憶部、３６，９２  デコード部、３７  ＨＤＭＩソース部、３８  チューナ部、４０  エンコード部、８８  サーバ機器リスト記憶部、９０  拡張サーバ機器リスト記憶部、１０９，１１０  レイヤ２スイッチ、１１１  ＤＨＣＰサーバ、１１２，１１３，１１４，１１５，１１６  ＨＤＭＩケーブル、１１７，１１８，１１９，１２０，１２１，１２２，１２３，１２４，１２５  １００ＢＡＳＥ−ＴＸケーブル、５０１，５０２，５０３，５０４，５０５，５０６，５０９，５１１  アイコン、５１０  カーソル、５１２，５１３，５１４，５１５，５１６  線。
【図１】
2014049923.tif 000003
【図２】
2014049923.tif 000004
【図３】
2014049923.tif 000005
【図４】
2014049923.tif 000006
【図５】
2014049923.tif 000007
【図６】
2014049923.tif 000008
【図７】
2014049923.tif 000009
【図８】
2014049923.tif 000010